(57)【要約】【課題】下位装置側から複数の上位装置との間の接続パスの切り離しおよび組み込みができるようにする。【解決手段】情報共有化装置３００の接続パス切り離し通知手段が接続パスの切り離し通知を中央演算処理装置２００に発行し、中央演算処理装置２００のアクセス抑止手段２４１は接続パスへのアクセスを抑止し、準備完了通知手段がリプライを返す。リプライ監視手段３４２が全中央演算処理装置２００からのリプライを監視し、全リプライを受けると、接続パス切り離し手段３４３が全中央演算処理装置２００との間の接続パスを切り離す。【選択図】図１
2008217145.tif 000002
【特許請求の範囲】
【請求項１】
複数の上位装置と前記上位装置に接続された下位装置との間の活線挿抜を制御する活線挿抜システムであって、
前記上位装置は、
前記下位装置からの切り離し通知を受信する切り離し通知受信手段と、
前記切り離し通知受信手段によって前記切り離し通知が受信された後、実行中または待機中の命令を全て完了させ、切り離すべき各接続パスに対する以降のアクセスを抑止するアクセス抑止手段と、
前記アクセス抑止手段による前記アクセスの抑止後に、前記下位装置に対して切り離し準備が完了したことを示す切り離し準備完了通知を発行する切り離し準備完了通知発行手段とを備え、
前記下位装置は、
切り離し指示を発行する切り離し指示発行手段と、
切り離し指示が発行されたのを受けて、接続されている全上位装置に対して切り離し通知を発行する切り離し通知発行手段と、
全上位装置からのリプライを監視するリプライ監視手段と、
全上位装置からの前記切り離し準備完了通知を受信する切り離し準備完了通知受信手段と、
全上位装置から前記切り離し準備完了通知が送信されてきたか否かを判定する判定手段と、
前記判定手段による判定の結果、全上位装置から前記切り離し準備完了通知が送信されてきたと判定されたとき、全上位装置との間の各接続パスを切り離す接続パス切り離し手段と
を備える
ことを特徴とする活線挿抜システム。
【請求項２】
前記下位装置は、切り離した各接続パスの組み込みを指示する組み込み指示を発行する組み込み指示発行手段と、前記組み込み指示を受けて各接続パスを組み込む組み込み手段とをさらに備え、
前記上位装置は、前記アクセス抑止手段によって抑止されていた各接続パスに対するアクセスを解除する解除手段をさらに備えることを特徴とする請求項１に記載の活線挿抜システム。
【請求項３】
複数の上位装置と前記上位装置に接続された下位装置との間の活線挿抜を制御する活線挿抜システムにおける上位装置であって、
前記下位装置からの切り離し通知を受信する切り離し通知受信手段と、
前記切り離し通知受信手段によって前記切り離し通知が受信された後、実行中または待機中の命令を全て完了させ、切り離すべき各接続パスに対する以降のアクセスを抑止するアクセス抑止手段と、
前記アクセス抑止手段による前記アクセスの抑止後に、前記下位装置に対して切り離し準備が完了したことを示す切り離し準備完了通知を発行する切り離し準備完了通知発行手段と
を備えることを特徴とする情報処理装置。
【請求項４】
複数の上位装置と前記上位装置に接続された下位装置との間の活線挿抜を制御する活線挿抜システムにおける下位装置であって、
切り離し指示を発行する切り離し指示発行手段と、
切り離し指示が発行されたのを受けて、接続されている全上位装置に対して切り離し通知を発行する切り離し通知発行手段と、
全上位装置からのリプライを監視するリプライ監視手段と、
全上位装置からの前記切り離し準備完了通知を受信する切り離し準備完了通知受信手段と、
全上位装置から前記切り離し準備完了通知が送信されてきたか否かを判定する判定手段と、
前記判定手段による判定の結果、全上位装置から前記切り離し準備完了通知が送信されてきたと判定されたとき、全上位装置との間の各接続パスを切り離す接続パス切り離し手段と
を備えることを特徴とする情報処理装置。
【請求項５】
複数の上位装置と前記上位装置に接続された下位装置との間の活線挿抜を制御する活線挿抜方法であって、
前記上位装置は、
前記下位装置からの切り離し通知を受信する切り離し通知受信ステップと、
前記切り離し通知受信ステップにおいて前記切り離し通知が受信された後、実行中または待機中の命令を全て完了させ、切り離すべき各接続パスに対する以降のアクセスを抑止するアクセス抑止ステップと、
前記アクセス抑止ステップにおける前記アクセスの抑止後に、前記下位装置に対して切り離し準備が完了したことを示す切り離し準備完了通知を発行する切り離し準備完了通知発行ステップとを備え、
前記下位装置は、
切り離し指示を発行する切り離し指示発行ステップと、
切り離し指示が発行されたのを受けて、接続されている全上位装置に対して切り離し通知を発行する切り離し通知発行ステップと、
全上位装置からのリプライを監視するリプライ監視ステップと、
全上位装置からの前記切り離し準備完了通知を受信する切り離し準備完了通知受信ステップと、
全上位装置から前記切り離し準備完了通知が送信されてきたか否かを判定する判定ステップと、
前記判定ステップにおける判定の結果、全上位装置から前記切り離し準備完了通知が送信されてきたと判定されたとき、全上位装置との間の各接続パスを切り離す接続パス切り離しステップとを備える
ことを特徴とする活線挿抜方法。
【請求項６】
複数の上位装置と前記上位装置に接続された下位装置との間の活線挿抜を制御する活線挿抜プログラムであって、
前記上位装置に、
前記下位装置からの切り離し通知を受信する切り離し通知受信ステップと、
前記切り離し通知受信ステップにおいて前記切り離し通知が受信された後、実行中または待機中の命令を全て完了させ、切り離すべき各接続パスに対する以降のアクセスを抑止するアクセス抑止ステップと、
前記アクセス抑止ステップにおける前記アクセスの抑止後に、前記下位装置に対して切り離し準備が完了したことを示す切り離し準備完了通知を発行する切り離し準備完了通知発行ステップとを実行させ、
前記下位装置に、
切り離し指示を発行する切り離し指示発行ステップと、
切り離し指示が発行されたのを受けて、接続されている全上位装置に対して切り離し通知を発行する切り離し通知発行ステップと、
全上位装置からのリプライを監視するリプライ監視ステップと、
全上位装置からの前記切り離し準備完了通知を受信する切り離し準備完了通知受信ステップと、
全上位装置から前記切り離し準備完了通知が送信されてきたか否かを判定する判定ステップと、
前記判定ステップにおける判定の結果、全上位装置から前記切り離し準備完了通知が送信されてきたと判定されたとき、全上位装置との間の各接続パスを切り離す接続パス切り離しステップとを実行させる
ことを特徴とする活線挿抜プログラム。
【発明の詳細な説明】
【技術分野】
【０００１】
本発明は活線挿抜システムに関し、特に、複数の情報処理装置が接続されている情報処理装置の保守交換において、全下位装置側と全上位装置とのインタフェースの切り離しおよび組み込みを行う活線挿抜システムに関するものである。
【背景技術】
【０００２】
図８は、従来の活線挿抜機構を示すブロック図であり、図９は従来の活線挿抜機構における活線挿抜手順を示すフローチャートである。図８に示すように、複数の上位装置である中央演算処理装置６００−１乃至６００−Ｎ（Ｎは２以上の任意の自然数）（以下、中央演算処理装置６００−１乃至６００−Ｎを区別する必要がない場合、単に中央演算処理装置６００と記載する）は、それぞれ、下位装置である情報共有化装置７００に接続されている。
中央演算処理装置６００−１は、各部を制御するとともに、各種処理を実行するＣＰＵ（Central Processing Unit）６０１と、接続パスの切り離しや組み込み指示を行う診断プロセッサ６０２と、下位装置との接続を制御する接続装置６０３，６０４とを有している。また、各中央演算処理装置６００には、保守システム１００が接続されており、保守員が切り離し指示や組み込み指示を行うことができるようになっている。保守システムは、パーソナルコンピュータ等により構成され、表示装置と、入力装置と、処理装置と、通信装置等から構成されている。その他の中央演算処理装置６００−２乃至６００−Ｎも同様の構成であるのでその図示および説明は省略する。
下位装置である情報共有化装置７００は、診断プロセッサ７０１と、上位装置との接続を制御する接続装置７０２，７０３を有している。上位装置である各中央演算処理装置６００は、下位装置である情報共有化装置７００とそれぞれ接続されている。
ここで下位装置である情報共有化装置７００にて障害が発生し、故障パッケージを活線挿抜にて交換する場合、従来の構成では、保守員はまずシステムの構成を確認しながら切り離すパスを特定した後、各上位装置の保守画面から切り離しコマンドを発行し、該当するパスを全上位装置側から順次切り離して活線挿抜を実施していた。また、故障部位を交換後に全パスを組み込む際にも、全上位装置側の保守画面から組み込み指示を発行して順次組み込みを行っていた。
図９は、従来の活線挿抜時の処理手順を示すフローチャートである。まず、ステップＳ１において、下位装置である情報共有化装置にて故障が発生すると、ステップＳ２において、保守員は、保守システム１００において、システム構成を確認しながら、情報共有化装置から切り離す接続パスを特定する。次に、ステップＳ３において、保守員は、上位装置である全中央演算処理装置に接続された保守システムの表示装置の保守画面において、接続パスの切り離し指示を行う。次に、ステップＳ４において、中央演算処理装置６００は、接続パスを切り離す。次に、ステップＳ５において、保守員は、情報共有化装置７００の故障部位を活線挿抜する。次に、ステップＳ６において、保守員は、全中央演算処理装置６００に接続された保守システム１００の表示装置の保守画面にて、先程切り離した接続パスの組み込み指示を行う。次に、ステップＳ７において、中央演算処理装置６００は、接続パスを組み込む。
また、特許文献１記載の発明では、計算機システムのデバイスを交換する場合、作業者が、デバイスに付随しているデバイス切断確認装置の切断確認スイッチを操作し、切断確認要求を発行すると、デバイス切断確認装置がオペレーティングシステムに対して、デバイスが本当に切断可能な状態であるか否かの問い合わせを行い、切断可能状態であるか否かが判断し、その結果を切断確認表示部に表示する。作業者はその表示が交換可であることを確認してから交換作業を行う。
【特許文献１】特開平０４−２８８６０８号公報
【発明の開示】
【発明が解決しようとする課題】
【０００３】
しかしながら、背景技術では、保守員は全上位装置から切り離し、組み込み指示を行わなければならないため作業時間が増加してしまい、また保守する際に切り離すパスを間違えることによる保守ミスが発生したり、パスが多いことにより切り離すパスを特定するのに時間がかかってしまうという問題を有していた。
また、保守員は全上位装置から保守コマンドを投入しなければならず、また、あらかじめ構成情報を元に切り離すパスを確認する必要があるなど、保守効率が低下するという問題を有していた。
また、特許文献１記載の発明でも、作業者は、デバイス毎に切断可能であるか否かを確認する必要があり、保守効率が低下するという問題があった。
【０００４】
本発明はこのような状況に鑑みてなされたものであり、下位装置側から下位装置に接続された複数の上位装置との間の接続の切り離しおよび組み込みを行うことができるようにするものである。
【課題を解決するための手段】
【０００５】
請求項１に記載の活線挿抜システムは、複数の上位装置と前記上位装置に接続された下位装置との間の活線挿抜を制御する活線挿抜システムであって、前記上位装置は、前記下位装置からの切り離し通知を受信する切り離し通知受信手段と、前記切り離し通知受信手段によって前記切り離し通知が受信された後、実行中または待機中の命令を全て完了させ、切り離すべき各接続パスに対する以降のアクセスを抑止するアクセス抑止手段と、前記アクセス抑止手段による前記アクセスの抑止後に、前記下位装置に対して切り離し準備が完了したことを示す切り離し準備完了通知を発行する切り離し準備完了通知発行手段とを備え、前記下位装置は、切り離し指示を発行する切り離し指示発行手段と、切り離し指示が発行されたのを受けて、接続されている全上位装置に対して切り離し通知を発行する切り離し通知発行手段と、全上位装置からのリプライを監視するリプライ監視手段と、全上位装置からの前記切り離し準備完了通知を受信する切り離し準備完了通知受信手段と、全上位装置から前記切り離し準備完了通知が送信されてきたか否かを判定する判定手段と、前記判定手段による判定の結果、全上位装置から前記切り離し準備完了通知が送信されてきたと判定されたとき、全上位装置との間の各接続パスを切り離す接続パス切り離し手段とを備えることを特徴とする。
また、前記下位装置は、切り離した各接続パスの組み込みを指示する組み込み指示を発行する組み込み指示発行手段と、前記組み込み指示を受けて各接続パスを組み込む組み込み手段とをさらに備え、前記上位装置は、前記アクセス抑止手段によって抑止されていた各接続パスに対するアクセスを解除する解除手段をさらに備えるようにすることができる。
請求項３に記載の上位装置は、複数の上位装置と前記上位装置に接続された下位装置との間の活線挿抜を制御する活線挿抜システムにおける上位装置であって、前記下位装置からの切り離し通知を受信する切り離し通知受信手段と、前記切り離し通知受信手段によって前記切り離し通知が受信された後、実行中または待機中の命令を全て完了させ、切り離すべき各接続パスに対する以降のアクセスを抑止するアクセス抑止手段と、前記アクセス抑止手段による前記アクセスの抑止後に、前記下位装置に対して切り離し準備が完了したことを示す切り離し準備完了通知を発行する切り離し準備完了通知発行手段とを備えることを特徴とする。
請求項４に記載の下位装置は、複数の上位装置と前記上位装置に接続された下位装置との間の活線挿抜を制御する活線挿抜システムにおける下位装置であって、切り離し指示を発行する切り離し指示発行手段と、切り離し指示が発行されたのを受けて、接続されている全上位装置に対して切り離し通知を発行する切り離し通知発行手段と、全上位装置からのリプライを監視するリプライ監視手段と、全上位装置からの前記切り離し準備完了通知を受信する切り離し準備完了通知受信手段と、全上位装置から前記切り離し準備完了通知が送信されてきたか否かを判定する判定手段と、前記判定手段による判定の結果、全上位装置から前記切り離し準備完了通知が送信されてきたと判定されたとき、全上位装置との間の各接続パスを切り離す接続パス切り離し手段とを備えることを特徴とする。
請求項５に記載の活線挿抜方法は、複数の上位装置と前記上位装置に接続された下位装置との間の活線挿抜を制御する活線挿抜方法であって、前記上位装置は、前記下位装置からの切り離し通知を受信する切り離し通知受信ステップと、前記切り離し通知受信ステップにおいて前記切り離し通知が受信された後、実行中または待機中の命令を全て完了させ、切り離すべき各接続パスに対する以降のアクセスを抑止するアクセス抑止ステップと、前記アクセス抑止ステップにおける前記アクセスの抑止後に、前記下位装置に対して切り離し準備が完了したことを示す切り離し準備完了通知を発行する切り離し準備完了通知発行ステップとを備え、前記下位装置は、切り離し指示を発行する切り離し指示発行ステップと、切り離し指示が発行されたのを受けて、接続されている全上位装置に対して切り離し通知を発行する切り離し通知発行ステップと、全上位装置からのリプライを監視するリプライ監視ステップと、全上位装置からの前記切り離し準備完了通知を受信する切り離し準備完了通知受信ステップと、全上位装置から前記切り離し準備完了通知が送信されてきたか否かを判定する判定ステップと、前記判定ステップにおける判定の結果、全上位装置から前記切り離し準備完了通知が送信されてきたと判定されたとき、全上位装置との間の各接続パスを切り離す接続パス切り離しステップとを備えることを特徴とする。
請求項６に記載の活線挿抜プログラムは、複数の上位装置と前記上位装置に接続された下位装置との間の活線挿抜を制御する活線挿抜プログラムであって、前記上位装置に、前記下位装置からの切り離し通知を受信する切り離し通知受信ステップと、前記切り離し通知受信ステップにおいて前記切り離し通知が受信された後、実行中または待機中の命令を全て完了させ、切り離すべき各接続パスに対する以降のアクセスを抑止するアクセス抑止ステップと、前記アクセス抑止ステップにおける前記アクセスの抑止後に、前記下位装置に対して切り離し準備が完了したことを示す切り離し準備完了通知を発行する切り離し準備完了通知発行ステップとを実行させ、前記下位装置に、切り離し指示を発行する切り離し指示発行ステップと、切り離し指示が発行されたのを受けて、接続されている全上位装置に対して切り離し通知を発行する切り離し通知発行ステップと、全上位装置からのリプライを監視するリプライ監視ステップと、全上位装置からの前記切り離し準備完了通知を受信する切り離し準備完了通知受信ステップと、全上位装置から前記切り離し準備完了通知が送信されてきたか否かを判定する判定ステップと、前記判定ステップにおける判定の結果、全上位装置から前記切り離し準備完了通知が送信されてきたと判定されたとき、全上位装置との間の各接続パスを切り離す接続パス切り離しステップとを実行させることを特徴とする。
【発明の効果】
【０００６】
本発明の活線挿抜システムによれば、下位装置に接続された複数の上位装置との間の接続の切り離しおよび組み込みを下位装置側から行うことができ、保守作業を自動化し、保守ミスの防止や保守の効率化を図ることができる。また、接続の切り離し時に切り離すべき各接続パスに対する以降のアクセスを抑止することができ、不具合の発生を抑制することができる。
【発明を実施するための最良の形態】
【０００７】
図１は、本発明が適用されるシステムの構成例を示している。上位装置側の中央演算処理装置２００−１乃至２００−Ｎ（Ｎは２以上の任意の自然数）（以下では、中央演算処理装置２００−１乃至２００−Ｎを特に区別する必要がない場合、適宜単に中央演算処理装置２００と記載する）と、下位装置側の情報共有化装置３００とから構成されている。
【０００８】
中央演算処理装置２００には保守システム１０が接続され、保守員は保守システム１０を構成するキーボード等の入力装置から各種コマンドやデータを入力し、各種指示を行うことができるようになっている。即ち、保守システム１０は、パーソナルコンピュータ等によって構成され、表示装置、キーボード等の入力装置、処理装置、通信装置等を有している。
【０００９】
中央演算処理装置２００は、各部を制御するとともに各種処理を実行するＣＰＵ（Central Processing Unit）２１０と、診断プロセッサ２２０と、接続装置２４０と、接続装置２５０とから構成されており、各装置はバスによって接続され、各種コマンドやデータをやり取りすることができるようになっている。接続装置２４０は、アクセス抑止手段２４１と、アクセス解除手段２４２と、準備完了通知手段２４３とから構成されている。接続装置２５０も同様の構成であるのでその図示および説明は省略する。
【００１０】
情報共有化装置３００には保守システム２０が接続され、保守員は保守システム２０を構成するキーボード等の入力装置から各種コマンドやデータを入力し、各種指示を行うことができるようになっている。即ち、保守システム１０は、パーソナルコンピュータ等によって構成され、表示装置、キーボード等の入力装置、処理装置、通信装置等を有している。
【００１１】
情報共有化装置３００は、診断プロセッサ３２０と、接続装置３４０と、接続装置３５０とから構成されており、各装置はバスによって接続され、各種コマンドやデータをやり取りすることができるようになっている。診断プロセッサ３２０は、切り離し指示発行部（切り離し指示手段）３２１を有しており、保守システム２０からの指示を受けて、切り離し指示を発行するようになっている。接続装置３４０は、接続パス切り離し通知手段３４１と、リプライ監視手段３４２と、接続パス切り離し手段３４３と、接続パス組み込み手段３４４とから構成されている。接続装置３５０も同様の構成であるのでその図示および説明は省略する。
【００１２】
次に、図２のフローチャートを参照して、図１に示した実施の形態において接続パスを切り離すときの動作について説明する。まず、ステップＳ１１において、情報共有化装置３００において故障が発生すると、ステップＳ１２において、保守員は、情報共有化装置３００に接続されている保守システム２０の表示装置に表示された保守画面を見ながら入力装置を操作し、故障部位と全中央演算処理装置２００との間の接続パスを切り離す指示を出す。
【００１３】
次に、ステップＳ１３において、上記指示を受けた情報共有化装置３００は、接続パス切り離し通知手段３４１の制御により、全中央演算処理装置２００に対して接続パス切り離し通知を発行する。次に、ステップＳ１４において、情報共有化装置３００の図示しないＣＰＵは、リプライ監視手段３４２を起動する。
【００１４】
次に、ステップＳ１５において、中央演算処理装置２００は、情報共有化装置３００からの接続パス切り離し通知を受けると、実行中の命令や実行待機中の命令を全て完了させるとともに、切り離しが行われる接続パスへのアクセスをアクセス抑制手段２４１の制御により抑止する。次に、ステップＳ１６において、中央演算処理装置２００は、抑止等に問題がなければ切り離し準備が完了したことを示す切り離し準備完了のリプライを準備完了通知手段２４３の制御により発行する。これにより、中央演算処理装置２００は情報共有化装置３００から接続パスを切り離されても良い状態となる。
【００１５】
次に、ステップＳ１７において、情報共有化装置３００は、リプライ監視手段３４２の制御により、全ての中央演算処理装置２００から送信されてきた全てのリプライが揃ったか否かを確認した後、接続パス切り離し手段３４３の制御により、全ての接続パスを切り離す。
【００１６】
その後、ステップＳ１８において、保守員は、情報共有化装置３００の故障部位を活線挿抜する。その後、処理を終了する。
【００１７】
次に、図３のフローチャートを参照して、図１に示した実施の形態において接続パスを組み込むときの動作について説明する。まず、ステップＳ２１において、保守員が、情報共有化装置３００の故障部位の交換を完了させると、ステップＳ２２において、保守員は、情報共有化装置３００に接続された保守システム２０の表示装置に表示された保守画面を見ながら、キーボード等の入力装置を操作し、故障部位と全中央演算処理装置２００との間の接続パスを組み込む指示を出す。
【００１８】
次に、ステップＳ２３において、上記指示を受けた情報共有化装置３００の接続パス組み込み手段３４４は、全中央演算処理装置２００との間の接続パスを組み込む。次に、ステップＳ２４において、中央演算処理装置２００は、接続パスが組み込まれたことを契機に、アクセス解除手段の制御により、抑止されていた接続パスに対するアクセスを解除する。その後、処理を終了する。
【００１９】
次に、図４乃至図７を参照して、接続パスの切り離し時および組み込み時の処理手順について説明する。
【００２０】
図４は、情報共有化装置３００における接続パスの切り離し時の処理手順を説明するための回路図である。診断プロセッサ３２０から切り離し指示があると、切り離し指示通知フラグ（切り離し指示通知手段）４１０に値１がセットされるとともに、切り離し処理監視タイマが起動される。そして、中央演算処理装置２００とのインタフェース回路４０１を介して切り離し通知が各中央演算処理装置２００に送信される。
【００２１】
各中央演算処理装置２００から送信されてきた切り離し準備完了通知（リプライ）は、中央演算処理装置２００とのインタフェース回路４０１を介して各受信レジスタ（切り離し準備完了通知受信手段）４０２−１乃至４０２−Ｎに格納される（値１が格納される）。各レジスタ４０２−１乃至４０２−Ｎは、中央演算処理装置２００−１乃至２００−Ｎに対応している。
【００２２】
全ての受信レジスタからの出力はＡＮＤ回路（リプライ監視手段、判定手段）４０４に入力され、論理積演算がなされた後、演算結果が値１となったとき、接続パス切り離し手段３４３により中央演算処理装置２００とのインタフェース回路４０１を介して全中央演算処理装置２００との接続パスが切り離される。中央演算処理装置２００からの切り離し完了のリプライは、完了リプライフラグ４１２に格納され、診断プロセッサ３２０に通知されるとともに、切り離し処理監視タイマ４０３および切り離し指示通知フラグ４１０がリセットされる。切り離し処理監視タイマ４０３が所定時間リセットされずにタイムアウトした場合、タイムアウト検出フラグ４１１によってタイムアウトしたことが検出され、診断プロセッサ３２０に通知されるとともに、切り離し指示通知フラグ４１０がリセットされる。
【００２３】
図４において、切り離し処理監視タイマ４０３とタイムアウト検出フラグ４１１はリプライ監視手段３４２を構成し、リプライ受信レジスタ４０２−１乃至４０２−Ｎと、ＡＮＤ回路４０４と、完了リプライフラグ４１２は、接続パス切り離し手段３４０を構成している。
【００２４】
図５は、中央演算処理装置２００における接続パスの切り離し時の処理手順を説明するための回路図である。ＣＰＵ２１０による命令（コマンド）の発行は、命令受付抑止フラグ５１０を参照して行われ、命令受付抑止フラグ５１０にフラグが立っているとき（値が１）の場合、命令発行は行われない。情報共有化装置３００から切り離し通知が、情報共有化装置３００とのインタフェース回路５０３を介して切り離し通知受信部（切り離し通知受信手段）５１４によって受け取られると、切り離し通知フラグ５１１の値が１となり、命令受付抑止フラグ５１０の値が１となる。これにより、ＣＰＵ２１０による新たな命令の発行はできなくなる。
【００２５】
命令受付抑止フラグ５１０が値１になる前に、ＣＰＵ２１０によって既に発行されたコマンドは、コマンドバッファ５０１に格納されており、コマンドバッファ５０１に格納されたコマンドが全て実行され、コマンドバッファ５０１に命令がなくなると、ＡＮＤ回路（切り離し準備完了通知発行手段）５０２に値１が出力される。命令受付抑止フラグ５１０の値もＡＮＤ回路５０２に出力され、コマンドバッファ５０１からの出力と、命令受付抑止フラグ５１０の出力の論理積演算結果が情報共有化装置３００とのインタフェース回路５０３に出力される。情報共有化装置３００とのインタフェース回路５０３への出力の値が１の場合、切り離し準備完了通知が情報共有化装置３００に対して送信される。
【００２６】
図５において、命令受付抑止フラグ５１０と切り離し通知フラグ５１１は、アクセス抑止手段２４１を構成し、ＡＮＤ回路５０２は、準備完了通知手段２４３を構成している。
【００２７】
図６は、情報共有化装置３００における接続パスの組み込み時の処理手順を説明するための回路図である。診断プロセッサ３２０から接続パスの組み込み指示があると、組み込み指示通知フラグ（組み込み指示発行手段）４１３に値１がセットされる。組み込み指示通知フラグ４１３に値１がセットされると、中央演算処理装置２００とのインタフェース回路４０１を介して各中央演算処理装置２００に組み込み指示通知（組み込み指示コマンド）が発行される。その後、接続パス組み込み手段３４４（組み込み手段）による全中央演算処理装置２００との間の接続パスの組み込みが完了すると、組み込み完了フラグ４１４に値１がセットされ、組み込み指示通知フラグ４１３はリセットされる（値０がセットされる）。また、診断プロセッサ３２０には組み込み完了通知が送信される。
【００２８】
図７は、中央演算処理装置２００における接続パスの組み込み時の処理手順を説明するための回路図である。情報共有化装置３００から送信された組み込み指示通知（組み込み指示コマンド）が情報共有化装置３００とのインタフェース回路５０３によって受信されると、組み込み指示フラグ５１３の値が１にセットされ、ＡＮＤ回路５０４に出力される。一方、情報共有化装置３００とのインタフェース回路５０３が情報共有化装置３００との間の通信等によって接続パスの初期化が完了したことが検出されると、インタフェース接続完了フラグとして値１がＡＮＤ回路５０４に供給される。
【００２９】
ＡＮＤ回路５０４の出力が値１のとき、組み込み完了フラグに値１がセットされる。組み込み完了フラグに値１がセットされると、命令受付抑止フラグ５１０および組み込み指示フラグ５１３がリセットされる（値０がセットされる）。これにより、ＣＰＵ２１０は、命令の発行を再開することができる。組み込み完了フラグ５１２は、切り離し指示によってリセットされる（値０がセットされる）。これにより、接続パスの切り離し時には、命令受付抑止フラグ５１０が有効となり、ＣＰＵ２１０による命令の発行ができないようにすることが可能となる。
【００３０】
以上説明したように、本実施の形態では、複数の上位装置と下位装置が接続されているシステムにおいて、下位装置にて故障が発生し活線挿抜にて保守を行う場合、下位装置の保守画面から保守コマンドを１回発行するだけで、全上位装置と下位装置の接続を自動で切り離したり組み込んだりすることができるため、活線挿抜時の保守ミスの防止と保守の効率化を図ることができる。
【００３１】
なお、上記実施の形態の構成及び動作は例であって、本発明の趣旨を逸脱しない範囲で適宜変更することができることは言うまでもない。
【産業上の利用可能性】
【００３２】
本発明は、例えば、複数の上位装置に下位装置が接続された様々なシステムに適用する適用することができる。
【図面の簡単な説明】
【００３３】
【図１】本発明が適用されるシステムの構成例を示すブロック図である。
【図２】接続パスの切り離し手順を説明するためのフローチャートである。
【図３】接続パスの組み込み手順を説明するためのフローチャートである。
【図４】情報共有化装置側の切り離し時の処理手順を説明するための回路図である。
【図５】中央演算処理装置側の切り離し時の処理手順を説明するための回路図である。
【図６】情報共有化装置側の組み込み時の処理手順を説明するための回路図である。
【図７】中央演算処理装置側の組み込み時の処理手順を説明するための回路図である。
【図８】従来の上位装置としての中央演算処理装置と下位装置としての情報共有化装置の構成例を示す図である。
【図９】従来の活線挿抜時の処理手順を説明するためのフローチャートである。
【符号の説明】
【００３４】
１０，２０，１００  保守システム
２００，６００  中央演算処理装置
３００，７００  情報共有化装置
２１０，６０１  ＣＰＵ
２２０，３２０，６０２，７０１  診断プロセッサ
２４０，２５０，３４０，３５０，６０３，６０４，７０２，７０３  接続装置
２４１  アクセス抑止手段
２４２  アクセス解除手段
２４３  準備完了通知手段
３４１  接続パス切り離し通知手段
３４２  リプライ監視手段
３４３  接続パス切り離し手段
３４４  接続パス組み込み手段
４０１  中央演算処理装置とのインタフェース回路
４０２  受信レジスタ
４０３  切り離し処理監視タイマ
４０４，５０４  ＡＮＤ回路
４１０  切り離し指示通知フラグ
４１１  タイムアウト検出フラグ
４１２  完了リプライフラグ
４１３  組み込み指示通知フラグ
４１４  組み込み完了フラグ
５０１  コマンドバッファ
５０３  情報共有化装置とのインタフェース回路
５１０  命令受付抑止フラグ
５１１  切り離し通知フラグ
５１２  組み込み完了フラグ
５１３  組み込み指示フラグ
５１４  切り離し通知受信部
【図１】
2008217145.tif 000003
【図２】
2008217145.tif 000004
【図３】
2008217145.tif 000005
【図４】
2008217145.tif 000006
【図５】
2008217145.tif 000007
【図６】
2008217145.tif 000008
【図７】
2008217145.tif 000009
【図８】
2008217145.tif 000010
【図９】
2008217145.tif 000011